(57)【要約】      （修正有）【課題】人物の集合整列を、短時間で顔が重ならない様きれいに並べることが出来るシートを提供する。【解決手段】滑り止め効果があるシート１に、足型を一定の間隔と角度に記し、設置は１列目の足型と足型の中間に２列目の足型を配置し、次列は戻し、その繰り返しをする。つまり縦列で見ると、足型をジグザグに設置する。すると顔が隠れないので整然となる。立つ位置が指示されているので、並ぶ人も調整指示する人も時間を短縮出来る。【選択図】図１
0003136787.tif 000002
【実用新案登録請求の範囲】
【請求項１】
滑り止め効果があるシートに、複数の足型を一定間隔に記し、整列の位置を指定することにより、短時間で整然と顔の重なりが無く並べる、人物の集合整列位置指定シート。
【考案の詳細な説明】
【技術分野】
【０００１】  この考案は、人物の集合整列をきれいに早く並べる為の用具に関するものである。
【背景技術】
【０００２】  従来の集合写真は、階段や整列用ひな段を設置しても、被写体まかせでは顔の重なりがあり、バランスの良い整列状態にはならなかった。
またカメラマンが整列の調整指示を被写体一人一人に対して、左右の間隔調整や前後の顔の重なりが無いように、かつ全体のバランスを考慮しながら並べていた為、撮影のシャッターまでに長い時間を要していた。特に、協力意識が希薄な人達を整列させるには、大変な労力と時間を要していた。
【考案の開示】
【考案が解決しようとする課題】
【０００３】  集合写真の場合は、整列の問題は次の通りである。
（イ）短時間で限られたスペースに、被写体全員の顔が、きちんと見えて重ならずバラバランス良いことが、カメラマンや会場にとって必要である。
（ロ）被写体まかせで並ぶと多人数の場合でも、スペースのたくさん必要な正面向きとなり全員が並びきれず、全体のバランスは悪く、前の人に顔半分が隠れている等、収拾が付かない状態もある。
（ハ）多人数の集合写真になる程、被写体個々の会話で騒然となり、カメラマンが指示しても、整列に時間を長く要しているのが現状である。
（ニ）時間が長引くことにより、次のイベントに影響を及ぼす。
（ホ）被写体の人達は密集するので、体に不具合を感じる人も出てくる。
（ヘ）密集状態や長時間に不満を発する声と、被写体個々の会話が増すことにより、カカメラマンの指示を掻き消すという悪循環となっていた。
（ト）写った写真の注文を受ける時、自分の顔が半分隠れていたり、体具合が悪い顔で写っていては注文をしないので、手間暇かけて撮影しても売上につながらない。
これらの問題を解決する集合整列位置指定シートを提供することが、本考案の課題である。
【課題を解決するための手段】
【０００４】  課題を解決する為に、滑り止め効果があるシートに、複数の足型を一定間隔に記し、整列の位置を指定することにより、短時間で整然と、顔の重なりが無く並ぶ、集合整列位置指定シートとして課題を解決している。
【考案の効果】
【０００５】  その結果図６のように、顔が重ならず整然と整列できる。立つ位置が指定されているので、被写体の人達は迷うことなく並び、カメラマンの調整指示の為の時間が極めて短縮し、被写体の人達の体具合が悪くなる前に撮影を終了出来る。
【考案を実施するための最良の形態】  以下図面に示す実施例に従い、本考案の実施形態を説明する。【０００６】  図１は、斜向き足型である図３のおもてＡと裏Ａ’の延長したものを交互に、６列に並べた使用例の平面図である。カメラ８が中央に位置した場合、その延長線上をセンターライン３とし、図３のおもてＡは左右の複数の足型２を中央向き斜め角度に記したもので、裏Ａ’はセンターライン３上のみが正面を向き、左右の複数の足型２は中央向き斜め角度にして記したものである。両面の足型の間隔と角度は一定で、およそ４５度が人体的にも無理が無く、人数も多く収容出来て、見栄えも許容範囲内である。図１の時、カメラ８に向い右方向から見た側面図が図２である。【０００７】  図１よりもゆったりと並べたい場合は、足型２の角度を緩め、隣との間隔をあけて記す。さらにゆったり並べたい時は、図４のように正面向きに足型２を記す。
図４は、４５ｃｍ幅の椅子を前列に使用することを想定して、正面向きの足型２の、１人分スペースを４５ｃｍにして記す。設置は同種のシートの足型を、１人分の半サイズを前列よりずらし、次の列は戻し、その繰り返しでジグザグに設置する。すると図６のように顔が隠れない。【０００８】  図５は、幼稚園などの子供用で、足型４は小さく、隣との間隔も狭くする。
足型２も足型４も、１人分の左右の足間隔は、両足を揃えないで、少し開いた状態にすると、立った時に体の安定感がある。【０００９】  足型２や足型４を記すシートは、滑り止め効果が必要である。それは階段やヒナ段の並ぶスペース６に設置した時、シートがずれると位置もずれて、きれいに整列されなかったり、立つ人が滑って転倒や落下があってはいけないので、滑り止め効果があるシートを使用する必要性がある。例えばカーペットやマット用の、ずれ防止シート類が適している。【００１０】  足型のデザインは靴底の形でも、足裏の形でもよく、この位置に立つことを、明確に指示出来ることが必要である。また縁取りを線で記すことも、足型の全部を塗りつぶすこともよく、記す手段は印刷または手書きでもよい。【００１１】  図６は本考案を８列に使用した場合で、顔の位置は重なりが無い。集合写真にとって最も重要な要素をクリアしている例である。【００１２】  図７は、本考案の回転とその軸を示した図である。作業効率をよくする為の回転は、短辺の中央線１０を基軸として、長辺上のＢをＣに、ＣをＢに１８０度回転するのがよい。よって足型２の向きは、回転させても同じ方向を向くように記すことが大切である。【００１３】  階段やヒナ段の並ぶスペース６が横に長い場合の継ぎ足しは、足されるシートと足すシートは同じ種類の足型を用い、１つ以上の足型を、上下それぞれ同じ位置に重ねると、全て同じ間隔と角度になり、ずれや差異が生じないで延長される。【００１４】  本考案を設置した場合は、足型の上に立つことを、事前に被写体に知らせることにより効果的に整列され、人数の多い場合でも図６のように顔がきちんと出る。
【産業上の利用可能性】
【００１５】  写真業界における集合写真の撮影時、会館やホール等のステージにて合唱団の整列、幼稚園・小学校・中学校・高校・大学等集団が整列する時、イベントにおいて人数が多く集まりかつ整列を要する時に利用するとよい。
【図面の簡単な説明】
【００１６】
【図１】  本考案の斜向き足型シートを６列に並べた使用例の平面図である。
【図２】  本考案を６列に並べた使用例の側面図である。
【図３】  本考案のおもてＡと裏Ａ’の斜向き足型シートの中央部の図である。
【図４】  本考案の大人用正面向き足型シートの部分図である。
【図５】  本考案の子供用正面向き足型シートの部分図である。
【図６】  本考案を８列に使用した場合の、顔の位置図である。
【図７】  本考案の回転とその軸を示した図である。
【符号の説明】
【００１７】  １  滑り止め効果があるシート
２  大人用足型
３  センターライン
４  子供用足型
５  被写体の人物
６  階段やヒナ段の並ぶスペース
７  床
８  カメラ
９  省略記号
１０  短辺の中央線
１１  回転を意味する矢印
【図１】
0003136787.tif 000003
【図２】
0003136787.tif 000004
【図３】
0003136787.tif 000005
【図４】
0003136787.tif 000006
【図５】
0003136787.tif 000007
【図６】
0003136787.tif 000008
【図７】
0003136787.tif 000009